(57)【要約】【課題】  余分な部品を用いたり、面倒な取付作業をすることなく、容易に、宝石を嵌め込んだ貴金属粘土製アクセサリを、変形やひび割れることなく製造する。【解決手段】  アクセサリ成形型１は、貴金属粘土を詰め込むためのキャビティ２内に、筒部３、テ−パー面を有する突出部４、リング状の溝部５が形成されている。筒部３の外形形状は、嵌め込まれる宝石のガードル部とほぼ同形状で若干大きくされ、テーパー部４のテーパー面は、嵌め込み用の宝石の背面部分のテーパーと同一若しくは、若干きついテーパーとされている。また、筒部３は、筒部３と溝部５とによって成形体に形成された部位が、貴金属粘土成形品の焼成時の収縮で嵌め込み用の宝石のガードル部に対して挟み付け圧力を加え得る面積を有すると共に、焼成後に外から押して宝石側に倒すことができ、かつ、倒したときに宝石の頂面を隠さない深さとされている。【選択図】  図１
0003113616.tif 000002
【実用新案登録請求の範囲】
【請求項１】
貴金属粘土を用いて宝石を嵌め込んだアクセサリを作成するための型であって、貴金属粘土を詰め込むためのキャビティ内に、以下の構成を有する部位を備えていることを特徴とする貴金属粘土アクセサリ成形型。
（Ａ）前記嵌め込み用の宝石のガードル部とほぼ同形状で若干大きい筒部が立設されていること。
（Ｂ）前記筒部の上端部から、前記嵌め込み用の宝石の背面部分のテーパーとほぼ同一のテーパー面を有する突出部が連続して上方に突出していること。
（Ｃ）斜めに切り上がるテーパー面を有する溝部が、連続して若しくは分離した複数個によって、前記筒部の下端外周を取り巻いていること。
（Ｄ）前記筒部は、焼成後に外から押して宝石側に倒すことができ、かつ、倒したときに宝石の頂面を隠さない深さを有すること。
【請求項２】
さらに、以下の構成を有することを特徴とする貴金属粘土アクセサリ成形型。
（Ｅ）前記筒部は、該筒部と前記溝部とによって形成された部位が、貴金属粘土成形品の焼成時の収縮で前記嵌め込み用の宝石のガードル部に対して挟み付け圧力を加え得る面積を有すること。
【考案の詳細な説明】
【技術分野】
【０００１】
本考案は、貴金属粘土（純銀粘土，純金粘土など）を用いて宝石（天然宝石、人工宝石）を嵌め込んだアクセサリを作成するための型に関するものである。
【背景技術】
【０００２】
近年、貴金属粘土を用いたアクセサリ作りが話題になっている。こうした貴金属粘土製のアクセサリに、さらに、宝石を嵌め込むことも行われている（例えば、特許文献１，２）。
【特許文献１】特開２００４−６５７１１（図１〜図３）
【特許文献２】特開２００４−３２１６７８（図４，図７）
【考案の開示】
【考案が解決しようとする課題】
【０００３】
特許文献１の方法は、粘土組成物と耐熱性メッシュを組み合わせて基体を作製し、該基体を乾燥、焼成すると共に、耐熱性メッシュに細線を用いて装飾パーツを取り付けるという方法である。また、特許文献２の方法は、貴金属粘土でアクセサリを成形した後、宝石等を嵌め込んだ突起付きの装飾子を埋め込むという方法である。
【０００４】
従って、従来の方法では、貴金属粘土と宝石の他に、耐熱性メッシュや装飾子という取付のための部品や、装飾子に宝石を接着する作業、耐熱メッシュに細線を用いて装飾パーツを取り付けるという作業が必要となる。また、部品（装飾パーツ）を取り付けると、これら部品は焼成時に収縮しないため、焼成後の制作品に変形やひび割れが生じるおそれがある。
【０００５】
そこで、本考案は、宝石を嵌め込んだ貴金属粘土製アクセサリを、変形やひび割れ等を生じることなく容易に作成し易くすることを目的とする。
【課題を解決するための手段】
【０００６】
上記目的を達成するためになされた本考案の貴金属粘土アクセサリ成形型は、貴金属粘土を用いて宝石を嵌め込んだアクセサリを作成するための型であって、貴金属粘土を詰め込むためのキャビティ内に、以下の構成を有する部位を備えていることを特徴とする貴金属粘土アクセサリ成形型。
（Ａ）前記嵌め込み用の宝石のガードル部とほぼ同形状で若干大きい筒部が立設されていること。
（Ｂ）前記筒部の上端部から、前記嵌め込み用の宝石の背面部分のテーパーとほぼ同一のテーパー面を有する突出部が連続して上方に突出していること。
（Ｃ）斜めに切り上がるテーパー面を有する溝部が、連続して若しくは分離した複数個によって、前記筒部の下端外周を取り巻いていること。
（Ｄ）前記筒部は、焼成後に外から押して宝石側に倒すことができ、かつ、倒したときに宝石の頂面を隠さない深さを有すること。
【０００７】
上記本考案の型に貴金属粘土を充填して成形すると、当該貴金属粘土成形体には、上記テーパー部によって「テーパー孔」が形成されると共に、上記筒部及び溝部により、テーパー孔の上端に連続する様に、外面テーパーを有する「リング状突起」若しくは「複数個の帯状突起」あるいは「複数個の爪状突起」が形成される。これにより、成形体の表面には、宝石をその背面部を下にして挿入する宝石挿入孔が形成されることになる。従ってこの成形体を焼成すると、宝石挿入孔を有するアクセサリが製造できる。この宝石挿入孔に宝石を収納し、突起部分の外面テーパーを押して宝石側に倒すことにより、宝石を美しい取付状態でアクセサリに固定することができる。
【０００８】
ここで、本考案の貴金属粘土アクセサリ成形型において、さらに、以下の構成を有する様にするとよい。
（Ｅ）前記筒部は、該筒部と前記溝部とによって形成された部位が、貴金属粘土成形品の焼成時の収縮で前記嵌め込み用の宝石のガードル部に対して挟み付け圧力を加え得る面積を有すること。
【０００９】
（Ｅ）をも備えた本考案の型に貴金属粘土を充填して成形すると、当該貴金属粘土成形体には、上記テーパー部によって「テーパー孔」が形成されると共に、上記筒部及び溝部により、テーパー孔の上端に連続する様に、外面テーパーを有する「リング状突起」若しくは「複数個の帯状突起」あるいは「複数個の爪状突起」が形成される。これにより、成形体の表面には、宝石をその背面部を下にして挿入する宝石挿入孔が形成されることになる。この宝石挿入孔の上部は宝石のガードル部より若干大きく、下部は宝石の背面部分とほぼ同一のテーパーなので、宝石を容易に挿入し、収納することができる。この状態にした後、コンロ等で焼成すると、貴金属粘土が収縮し、宝石のガードル部には挟み付け圧力が加わり、出来上がったアクセサリに固定される。この後、突起部分の外面テーパーを押して宝石側に倒すことにより、宝石を美しい取付状態とすることができる。
【００１０】
メノウなどの焼成に適さない宝石の場合は、（Ａ）〜（Ｄ）の構成からなるアクセサリ成形型を使用するとよい。この場合、焼成による収縮で完成した宝石挿入孔が、宝石であるめのうのガードル部の外形形状とほぼ一致する様に設計する。一方、ジルコニアの様に焼成しても構わない宝石の場合は、（Ａ）〜（Ｄ）からなるアクセサリ成形型及び（Ａ）〜（Ｅ）からなるアクセサリ成形型のいずれをも用いることができる。この場合、（Ａ）〜（Ｅ）からなる成形型を用いる方がより望ましい。それは、焼成時の収縮によってよりしっかりと宝石を固定できるからである。
【考案の効果】
【００１１】
本考案によれば、余分な部品を用いたり、面倒な取付作業をすることなく、容易に、宝石を嵌め込んだ貴金属粘土製アクセサリを製造することができる。また、焼成時にひび割れを生じることもない。
【考案を実施するための最良の形態】
【００１２】
以下、本考案を具体化した実施形態を図面を参照しながら詳細に説明する。実施形態の貴金属粘土製アクセサリ成形型１は、図１に示す様に、貴金属粘土を詰め込むためのキャビティ２内に、筒部３が立設されると共に、この筒部３の上端部からテーパー面を有する突出部４が連続して上方に突出し、斜めに切り上がるテーパー面を有するリング状の溝部５が筒部３の下端外周を取り巻いている。本実施形態では、このテーパー部４から上方に細筒部６が伸びる様に形成されている。
【００１３】
筒部３の外形形状は、嵌め込まれる宝石のガードル部とほぼ同形状で若干大きくされている。テーパー部４のテーパー面は、嵌め込み用の宝石の背面部分のテーパーと同一若しくは、若干きついテーパーとされている。
【００１４】
また、筒部３は、この筒部３と溝部５とによって形成された部位が、貴金属粘土成形品の焼成時の収縮で嵌め込み用の宝石のガードル部に対して挟み付け圧力を加え得る面積を有すると共に、焼成後に外から押して宝石側に倒すことができ、かつ、倒したときに宝石の頂面を隠さない深さとされている。
【００１５】
ここで、筒部３は、貴金属粘土の焼成時の収縮率から４〜７％を差し引いた収縮率を仮定して大きさを決定するとよい。例えば、貴金属粘土の焼成時の収縮率が１８％であるならば、筒部３は１８％大きくするのではなく、１１〜１４％大きくしておくのである。これにより、実際の収縮率との設計上の差（４〜７％）によって、上述の挟み付け圧力が程良く働き、宝石をしっかりと固定することができる。なお、この設計上の差を小さくし過ぎると十分な挟み付け圧力が得られず、逆に、設計上の差を大きくし過ぎると、挟み付け圧力が大きすぎて、変形や割れといった問題が生じ得る。従って、筒部３は、嵌め込み用の宝石３１のガードル部２２とほぼ同形状で、焼成後に生じる挟み付け圧力が、宝石の固定に十分な圧力となり、かつ、変形を生じるほど過大な圧力とならない様に、所定の設計上の差をもって寸法形状を決定する。この所定の設計上の差は、上述した４〜７％が適切であるが、宝石の大きさによっては、３〜１０％とした方がよい宝石もある。
【００１６】
なお、成形型２のキャビティ２の外形形状自体は、実際の収縮率分だけ最終形状よりも大きくしてあることはもちろんである。
【００１７】
この貴金属粘土製アクセサリ成形型１は、図２に示す様なマザー型１１に対してシリコン樹脂を充填し、固化させて作られる。マザー型１１は、図２に示す様に、キャビティ１２内に、アクセサリの外形形状に対応する立ち上がり部１３と、この立ち上がり部１３の上端から内側へ傾いたテーパ面部１４と、このテーパ面部１４の先端から下方に穿たれた筒孔部１５と、この筒孔部１５の下端から下方に穿たれたすり鉢状のテーパー孔１６と、このテーパー孔１６の下端部から下方に穿たれた細筒孔１７とを備えている。
【００１８】
このマザー型１１のキャビティ１２に、シリコン樹脂を充填し、固化させた後に離型すると、実施形態の貴金属粘土製アクセサリ成形型１が製造できる。この成形型１のキャビティ１に貴金属粘土を充填し、固化した後に取り出すと、図３（Ａ）に示す様な、アクセサリ成形体２１が製造できる。このアクセサリ成形体２１は、その中心に上面側から穿たれた筒孔部２２、筒孔部２２から下方に連続するすり鉢状のテーパ孔部２３、及びテーパ孔部２３に連続して裏面へ貫通する細めの貫通孔部２４からなる宝石挿入孔２５を備えている。また、この宝石挿入孔２２の上端外周を取り巻く部分は、外面テーパーを有するリング状の突起部２６となっている。なお、筒孔部２２の下縁の高さは、突起部２６の外角位置と同一高さ若しくは、若干低くしてある。これにより、焼成時の収縮によって宝石３１に対して挟み付け圧力を生じたときの反力による変形を防止する補強効果が発揮される。
【００１９】
このアクセサリ成形体２１に形成された宝石挿入孔２５に宝石３１を、背面部３２を下にして挿入する。このとき、上述の通り、成形型１の筒部３の面積が宝石３１のガードル部３３よりも若干大きいので、容易に挿入することができる。また、成形型１のテーパ部４のテーパーは、宝石３１の背面部のテーパーと同一若しくは若干きつめにしてあるので、宝石３１は、テーパ孔部２３に邪魔されることなく宝石挿入孔２５内に収まる（図３（Ｂ）参照）。
【００２０】
この後、コンロ等で焼成すると、貴金属粘土が収縮し、宝石３１のガードル部３３には挟み付け圧力が加わり、出来上がったアクセサリに固定される（図３（Ｃ）参照）。この後、突起部２６の外面テーパーを押して宝石３１側に倒すことにより、宝石を美しい取付状態とすることができる（図３（Ｄ）参照）。
【００２１】
なお、純銀粘土を用いて、上述した設計上の差を６％として成形型１を製造し、純銀粘土を充填・固化させて得られた成形体２１に宝石３１を嵌め込んで焼成したところ、割れやひびを発生することなく、しっかりと宝石３１を固定した状態のアクセサリを製造することができた。
【００２２】
本実施形態では、宝石挿入孔２５が上下貫通した孔になる様にしたので、嵌め込まれた宝石の背面側から光が入射し、宝石を美しく輝かせる効果も発揮される。
【００２３】
以上、考案を実施するための最良の形態としての一実施形態を説明したが、本考案は、これに限定されるものではなく、その要旨を逸脱しない範囲内における種々の変更が可能である。
【００２４】
例えば、宝石挿入孔２５が上下貫通しない成形体を製造する様な型にしてもよい。この場合、突出部４の頂上面に、取り付けるべき宝石のサイズや、製品番号を刻印しておくと、制作者が間違えることがなく、より好適である。この他、宝石挿入孔２５の底は、錐状のテーパー孔部２３のみを有するだけとしてもよい。また、十字架形状のペンダントトップの一部に宝石を嵌め込むための型にしてもよいし、アクセサリには宝石以外の彫刻風の文様が施される様にしてもよい。さらに、成形体２１に形成される突起部２６は、複数に分割されていてもよいし、爪の様に小さな突起部が複数個取り巻く様に形成される様にしてもよい。
【図面の簡単な説明】
【００２５】
【図１】実施の形態の貴金属粘土製アクセサリ成形型１を示し、（Ａ）は斜視図、（Ｂ）は断面図である。
【図２】実施の形態の貴金属粘土製アクセサリ成形型１を製造するためのマザー型１１を示し、（Ａ）は斜視図、（Ｂ）は断面図である。
【図３】実施の形態の貴金属粘土製アクセサリ成形型１によって製造されたアクセサリ成形体１１及び宝石取付の様子を示す断面図である。
【符号の説明】
【００２６】
１・・・貴金属粘土製アクセサリ成形型
２・・・キャビティ
３・・・筒部
４・・・突出部
５・・・溝部
６・・・細筒部
１１・・・マザー型
１２・・・キャビティ
１３・・・立ち上がり部
１４・・・テーパ面部
１５・・・筒孔部
１６・・・テーパー孔
１７・・・細筒孔
２１・・・アクセサリ成形体
２２・・・筒孔部
２３・・・テーパ孔部
２４・・・貫通孔部
２５・・・宝石挿入孔
２６・・・突起部
３１・・・宝石
３２・・・背面部
３３・・・ガードル部
【図１】
0003113616.tif 000003
【図２】
0003113616.tif 000004
【図３】
0003113616.tif 000005
【手続補正書】
【提出日】平成17年6月22日(2005.6.22)
【手続補正１】
【補正対象書類名】実用新案登録請求の範囲
【補正対象項目名】全文
【補正方法】変更
【補正の内容】
【実用新案登録請求の範囲】
【請求項１】
貴金属粘土を用いて宝石を嵌め込んだアクセサリを作成するための型であって、貴金属粘土を詰め込むためのキャビティ内に、以下の構成を有する部位を備えていることを特徴とする貴金属粘土アクセサリ成形型。
（Ａ）前記嵌め込み用の宝石のガードル部とほぼ同形状で若干大きい筒部が立設されていること。
（Ｂ）前記筒部の上端部から、前記嵌め込み用の宝石の背面部分のテーパーとほぼ同一のテーパー面を有する突出部が連続して上方に突出していること。
（Ｃ）斜めに切り上がるテーパー面を有する溝部が、連続して若しくは分離した複数個によって、前記筒部の下端外周を取り巻いていること。
（Ｄ）前記筒部は、焼成後に外から押して宝石側に倒すことができ、かつ、倒したときに宝石の頂面を隠さない深さを有すること。
【請求項２】
さらに、以下の構成を有することを特徴とする請求項１記載の貴金属粘土アクセサリ成形型。
（Ｅ）前記筒部は、該筒部と前記溝部とによって形成された部位が、貴金属粘土成形品の焼成時の収縮で前記嵌め込み用の宝石のガードル部に対して挟み付け圧力を加え得る面積を有すること。